【手続補正書】
【提出日】平成24年4月4日(2012.4.4)
【手続補正１】
【補正対象書類名】特許請求の範囲
【補正対象項目名】全文
【補正方法】変更
【補正の内容】
【特許請求の範囲】
【請求項１】
２本のチューブと、第１および第２のチューブ係止部材と、第１および第２のチューブ受け部材と、少なくとも３個以上設けられたフィンガー部材と、前記各フィンガー部材を駆動する駆動機構とを備えたチューブポンプであって、
前記第１および第２のチューブ係止部材は、所定間隔離されて設けられ、前記各チューブ係止部材間には、２本のチューブが着脱自在に係止されて互いに平行に張設され、
前記第１および第２のチューブ受け部材は、前記２本のチューブを挟んで配置され、かつ、前記２本のチューブに沿って配置され、
前記各フィンガー部材は、前記２本のチューブ間に配置されたチューブ押圧部を備え、かつ、前記２本のチューブに沿って配置され、
前記駆動機構は、モーターと、このモーターによって回転される駆動軸とを備え、
前記フィンガー部材は、薄板状に形成されたフィンガー板と、前記駆動軸と一体で回転するカムとを備え、
前記フィンガー板は、チューブポンプの筐体側に固定された固定部と、この固定部に対して第１ヒンジ部を介して連結された移動部と、この移動部に対して第２ヒンジ部を介して連結された駆動軸部とを備えて一体に形成され、
前記カムは、前記駆動軸がカムの中心から偏心した位置に固定された偏心カムであり、前記駆動軸部に設けられた孔に対して回転自在に支持され、
前記移動部には、前記チューブ押圧部が形成され、
前記第１ヒンジ部は、前記固定部に対して前記移動部のチューブ押圧部が、前記２本のチューブ間を往復移動可能に形成され、
前記第２ヒンジ部は、前記移動部に対して駆動軸部が、駆動軸の軸直交面内において、前記第１ヒンジ部による移動部の移動方向に対して直交する方向に移動可能に形成され、
前記駆動機構は、前記チューブ押圧部が前記２本のチューブのうちの一方を押圧して、前記第１のチューブ受け部材との間で前記一方のチューブを押し潰す位置と、前記チューブ押圧部が前記２本のチューブのうちの他方を押圧して、前記第２のチューブ受け部材との間で前記他方のチューブを押し潰す位置との間で、往復移動するように前記各フィンガー部材を駆動し、かつ、各フィンガー部材を、一方のチューブ係止部材に係止された部分から他方のチューブ係止部材に係止された部分に向かって各チューブ押圧部が前記チューブを押し潰す位置に順次移動するように駆動する
ことを特徴とするチューブポンプ。
【請求項２】
請求項１に記載のチューブポンプに用いられるチューブポンプ用チューブであって、
両端部はそれぞれ１本のチューブで構成され、中間部は前記１本のチューブから分岐された２本のチューブで構成され、
中間部の２本のチューブは、前記チューブの各分岐部を前記チューブポンプの各チューブ係止部材に係止された際に、前記チューブ係止部材間に互いに平行に張設可能な長さに設定されている
ことを特徴とするチューブポンプ用チューブ。
【請求項３】
請求項２に記載のチューブポンプ用チューブにおいて、
前記両端部の各チューブおよび中間部の２本のチューブはそれぞれ別体で構成され、
前記両端部の各チューブおよび中間部の２本のチューブはＹ字状のコネクタで連結されている
ことを特徴とするチューブポンプ用チューブ。
【手続補正２】
【補正対象書類名】明細書
【補正対象項目名】００１０
【補正方法】変更
【補正の内容】
【００１０】
本発明のチューブポンプは、２本のチューブと、第１および第２のチューブ係止部材と、第１および第２のチューブ受け部材と、少なくとも３個以上設けられたフィンガー部材と、前記各フィンガー部材を駆動する駆動機構とを備えたチューブポンプであって、前記第１および第２のチューブ係止部材は、所定間隔離されて設けられ、前記各チューブ係止部材間には、２本のチューブが着脱自在に係止されて互いに平行に張設され、前記第１および第２のチューブ受け部材は、前記２本のチューブを挟んで配置され、かつ、前記２本のチューブに沿って配置され、前記各フィンガー部材は、前記２本のチューブ間に配置されたチューブ押圧部を備え、かつ、前記２本のチューブに沿って配置され、前記駆動機構は、モーターと、このモーターによって回転される駆動軸とを備え、前記フィンガー部材は、薄板状に形成されたフィンガー板と、前記駆動軸と一体で回転するカムとを備え、前記フィンガー板は、チューブポンプの筐体側に固定された固定部と、この固定部に対して第１ヒンジ部を介して連結された移動部と、この移動部に対して第２ヒンジ部を介して連結された駆動軸部とを備えて一体に形成され、前記カムは、前記駆動軸がカムの中心から偏心した位置に固定された偏心カムであり、前記駆動軸部に設けられた孔に対して回転自在に支持され、前記移動部には、前記チューブ押圧部が形成され、前記第１ヒンジ部は、前記固定部に対して前記移動部のチューブ押圧部が、前記２本のチューブ間を往復移動可能に形成され、前記第２ヒンジ部は、前記移動部に対して駆動軸部が、駆動軸の軸直交面内において、前記第１ヒンジ部による移動部の移動方向に対して直交する方向に移動可能に形成され、前記駆動機構は、前記チューブ押圧部が前記２本のチューブのうちの一方を押圧して、前記第１のチューブ受け部材との間で前記一方のチューブを押し潰す位置と、前記チューブ押圧部が前記２本のチューブのうちの他方を押圧して、前記第２のチューブ受け部材との間で前記他方のチューブを押し潰す位置との間で、往復移動するように前記各フィンガー部材を駆動し、かつ、各フィンガー部材を、一方のチューブ係止部材に係止された部分から他方のチューブ係止部材に係止された部分に向かって各チューブ押圧部が前記チューブを押し潰す位置に順次移動するように駆動することを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００４２
【補正方法】変更
【補正の内容】
【００４２】
このため、チューブ押圧部６３２が押圧されて潰されていた中間チューブ４２Ａの流路は徐々に開かれる。一方、チューブ押圧部６３２は、中間チューブ４２Ｂを徐々に押圧する。ただし、中間チューブ４２Ｂの流路は断面積が徐々に小さくなるが、完全に閉じられていない。
【手続補正５】
【補正対象書類名】明細書
【補正対象項目名】００４５
【補正方法】変更
【補正の内容】
【００４５】
この図１１の状態から、駆動軸５が図中時計回り方向に９０度回転し、図１２の状態になると、カム６８の段部６８２は図１２の上側つまりチューブポンプ１の背面側に移動する。
この状態では、駆動軸部６４は、駆動軸５に対して図中上側に移動する。この駆動軸部６４の移動は、第２ヒンジ部６６の変形部６６１，６６３が変形することで吸収される。そして、カム６８は、駆動軸５に対して左右方向には移動していないので、チューブ押圧部６３２は、カム６８が図１１から図１２の状態に回転する際に、各チューブ受け部材３１、３２間の隙間の中心位置に徐々に移動する。
【手続補正６】
【補正対象書類名】明細書
【補正対象項目名】００４６
【補正方法】変更
【補正の内容】
【００４６】
このため、チューブ押圧部６３２が押圧されて潰されていた中間チューブ４２Ｂの流路は徐々に開かれる。一方、チューブ押圧部６３２は、中間チューブ４２Ａを徐々に押圧し、中間チューブ４２Ａの流路は断面積が徐々に小さくなるが、完全に閉じられていない。
【手続補正７】
【補正対象書類名】図面
【補正対象項目名】図７
【補正方法】変更
【補正の内容】
【図７】
2010248975.tif 000001
【手続補正８】
【補正対象書類名】図面
【補正対象項目名】図９
【補正方法】変更
【補正の内容】
【図９】
2010248975.tif 000002
【手続補正９】
【補正対象書類名】図面
【補正対象項目名】図１０
【補正方法】変更
【補正の内容】
【図１０】
2010248975.tif 000003
【手続補正１０】
【補正対象書類名】図面
【補正対象項目名】図１２
【補正方法】変更
【補正の内容】
【図１２】
2010248975.tif 000004